(57)【要約】【課題】パーティー会場のような場における参加者の状態に基づき、場の可視化を行い得る場の状態提示装置、場の状態提示方法及びプログラムを提供する。【解決手段】飲料容器型端末１−１は、予め定められた時間間隔毎に、通信手段１１を用いて各飲料容器型端末１−２、１−３と通信することで、自分以外の各飲料容器型端末１−２、１−３との距離を取得し、この距離に応じて適切に自身の色を更新し続けることで、場におけるグループ形成等の様子を効果的に可視化する。【選択図】      図１
2017050806.tif 000002
【特許請求の範囲】
【請求項１】
イベントの会場に集まる参加者が保有する参加者端末に搭載され、前記会場に存在する自分以外の周囲の端末との間の距離を取得する距離取得手段と、
前記距離取得手段が取得した前記距離に基づき、自分以外の周囲の端末の持つ色情報と、自身の色情報を合算することで、自身の色情報を更新する色情報生成手段と、
前記色情報生成手段が更新した色情報を可視化する可視化手段と
を具備することを特徴とする場の状態提示装置。
【請求項２】
前記距離は、前記参加者端末と、前記会場に存在する自分以外の周囲の端末との電波強度に対応し、
前記距離取得手段は、前記会場に存在する自分以外の端末との通信により、自分以外の各端末が持つ端末色情報ベクトル及び、自分以外の端末との電波強度を要素とする電波強度ベクトルを取得し、前記電波強度ベクトルに基づいて、距離ベクトルを生成し、
前記色情報生成手段は、前記距離ベクトル、前記端末色情報ベクトル及び前記自身の色情報に基づいて、前記自身の色情報を更新することを特徴とする請求項１記載の場の状態提示装置。
【請求項３】
前記会場に存在する複数の参加者端末間の距離を管理し、当該距離に基づいて、前記複数の参加者端末それぞれのグループを判定するグループ判定手段を備えるサーバ端末と通信可能とし、
前記色情報生成手段は、前記サーバ端末から通知されるグループ判定結果に基づいて、同一グループに属する自分以外の周囲の端末の持つ色情報と、自身の色情報を合算することで、自身の色情報を更新することを特徴とする請求項１記載の場の状態提示装置。
【請求項４】
前記距離取得手段は、前記電波強度ベクトルの逆数により、前記距離ベクトルを生成することを特徴とする請求項２記載の場の状態提示装置。
【請求項５】
イベントの会場に集まる参加者が保有する参加者端末に搭載された通信モジュールを用いて、前記会場に存在する自分以外の周囲の端末との間の距離を取得し、
前記取得した前記距離に基づき、自分以外の周囲の端末の持つ色情報と、自身の色情報を合算することで、自身の色情報を更新し、
前記更新した色情報を可視化する
ことを特徴とする場の状態提示方法。
【請求項６】
イベントの会場に集まる参加者が保有する参加者端末に搭載された通信モジュールを用いる場の状態提示装置を
前記会場に存在する自分以外の周囲の端末との間の距離を取得する距離取得手段と、
前記距離取得手段が取得した前記距離に基づき、自分以外の周囲の端末の持つ色情報と、自身の色情報を合算することで、自身の色情報を更新する色情報生成手段と、
前記色情報生成手段が更新した色情報を可視化する可視化手段と
して動作させるプログラム。
【発明の詳細な説明】
【技術分野】
【０００１】
本発明は、例えばパーティー会場等、イベントに参加する参加者が集まる場において、場の雰囲気といった状態を可視化する場の状態提示装置、場の状態提示方法及びプログラムに関する。
【背景技術】
【０００２】
パーティー会場等のイベント会場における場の雰囲気、特に、複数の会話グループが形成される場合における、誰がどのグループに含まれるか、グループが形成されてからどの程度時間が経過したか、といった状態を可視化することは、新たな参加者がグループに加わる際の手がかりや、話題の適切な提供タイミングを考える上での情報として活用でき、コミュニケーションの質向上につながると期待できる。
【０００３】
場の状況を検出して可視化する方法としては、例えば特許文献１のようにコンサート会場において、出演者の状態を観客に光等を用いて提示し出演者の緊張感や高揚感等を観衆へ伝えることが提案されている。
【先行技術文献】
【特許文献】
【０００４】
【特許文献１】特開２００５−３０３７２２号公報
【発明の概要】
【発明が解決しようとする課題】
【０００５】
特許文献１の方法は、場の一体感を可視化できるが、一方でパーティー会場のような、複数のグループ毎の状態を可視化することは難しい。
【０００６】
本発明の目的は、パーティー会場のような場における参加者の状態に基づき、場の可視化を行い得る場の状態提示装置、場の状態提示方法及びプログラムを提供するものである。
【課題を解決するための手段】
【０００７】
上記目的を達成するために本発明の一観点は、イベントの会場に集まる参加者が保有する参加者端末に搭載され、前記会場に存在する自分以外の周囲の端末との間の距離を取得する距離取得手段と、前記距離取得手段が取得した前記距離に基づき、自分以外の周囲の端末の持つ色情報と、自身の色情報を合算することで、自身の色情報を更新する色情報生成手段と、前記色情報生成手段が更新した色情報を可視化する可視化手段とを備えるようにしている。ここで、距離取得手段が取得する距離としては、例えば前記参加者端末および、前記会場に存在する自分以外の周囲の端末に搭載された、通信モジュール間の電波強度を用いることができる。
【発明の効果】
【０００８】
本発明によれば、パーティー参加者は、グループが形成され、会話が行われた際に、そのグループに属する参加者の距離情報にしたがってグループ毎に類似した色情報を保持して可視化するようになることから、その会場におけるグループ形成の様子を視覚的に素早く認識可能になる。
【０００９】
また、本発明によって、グループ毎に提示される色情報は、グループが形成されてから持続する持続時間によっても変化することから、距離情報と時間情報を複合的に考慮してグループの状態を可視化することが可能になる。本発明で用いられる端末は飲料容器と一体となった、あるいは飲料容器に装着可能な装着型端末として実現されるため、パーティーにおいて違和感なく利用できる。
【図面の簡単な説明】
【００１０】
【図１】本発明の第１の実施形態を示す場の状態提示装置を示す図。
【図２】本発明の第１の実施形態を示す場の状態提示装置の色情報更新制御手順を示すフローチャート。
【図３】本発明の第１の実施形態を示す場の状態提示装置の色情報の更新の様子を示す図。
【図４】本発明の第２の実施形態を示す場の状態提示装置を示す図。
【図５】本発明の第２の実施形態を示すサーバ端末の色情報更新制御手順を示すフローチャート。
【図６】本発明の第２の実施形態を示す場の状態提示装置の色情報の更新の様子を示す図。
【発明を実施するための形態】
【００１１】
(第１の実施形態)  
図１は本発明の第１の実施形態を示す場の状態提示装置を示す図である。場の状態提示装置は、複数人の参加者が把持する複数の飲料容器型端末（参加者端末）１−１〜１−３によって実現される。ここで、飲料容器型端末１−１〜１−３は、飲料格納部分（図示せず）と、通信モジュールとしての通信手段１１、距離取得手段１２、色情報生成手段１３、可視化手段１４、色情報保有手段１５を備える。図１には、例として３個の飲料容器型端末１−１〜１−３が存在する場合を図示しているが、本発明における飲料容器型端末１の個数はこれに限定されるものではない。
【００１２】
例えば飲料容器型端末１−１が備える通信手段１１は、予め定められた時間間隔毎に、自分以外の飲料容器型端末１−２，１−３と通信する。飲料容器型端末１−１が備える距離取得手段１２は、自分以外の飲料容器型端末１−２，１−３とのそれぞれの距離情報を算出する。色情報生成手段１３は、自分以外の飲料容器型端末１−２，１−３とのそれぞれの距離情報に基づいて自身の端末色情報１６を更新する。ここで、距離取得手段１２が算出する距離情報としては、例えば飲料容器型端末１−１および、自分以外の飲料容器型端末１−２，１−３に搭載された、通信手段１１（通信モジュール）間の電波強度を用いる。以下では、その方法について詳細に述べる。図２は、飲料容器型端末１−１の色情報更新制御手順を示すフローチャートであり、図３は、各飲料容器型端末１−１〜１−３の色情報の更新の様子を示す図である。
【００１３】
まず、飲料容器型端末１−１の電源が投入され（図示せず）、起動した際に、飲料容器型端末１−１は色情報保有手段１５に保持される自身の端末色情報１６を初期化する（ステップＳ１１）。この際の初期化方法については、例えば自身の端末色情報１６をＲＧＢ＝(r, g, b)で表した際に、r, g, bの各成分をそれぞれ乱数で生成する方法や、予め定められた値で初期化する方法、通信手段１１を用いて外部から初期値を取得する方法が考えられるが、これに限定されない。
【００１４】
初期状態で、例えば飲料容器型端末１−１は、図３（ａ）に示すように、赤色となり、飲料容器型端末１−２は青色、飲料容器型端末１−３は緑色となる。
【００１５】
通信手段１１は、予め定められた時間間隔毎に、周囲に存在する自分以外の飲料容器型端末１−２，１−３との通信を行い（ステップＳ１２）、自分以外の各飲料容器型端末１−２，１−３が持つ端末色情報ベクトル１７及び、電波強度ベクトル１８により定められる距離ベクトル１９を取得する（ステップＳ１３）。予め定められた時間間隔は、例えば１０秒や２０秒などが考えられるが、特にこの値に限定されるものではない。また、通信手段１１が用いる通信方式の一例としては、Zigbee（登録商標）やBluetooth（登録商標）が考えられるが、これに限定されるものではない。
【００１６】
距離取得手段１２は、通信手段１１が取得した自分以外の各飲料容器型端末１−２，１−３との電波強度ベクトル１８に基づき、距離ベクトル１９を生成する。ここで、距離ベクトル１９を生成する方法の一例としては、電波強度ベクトル１８のそれぞれの要素の逆数をとったものを用いることが考えられるが、これに限定されない。
【００１７】
色情報生成手段１３は、距離ベクトル１９と、端末色情報ベクトル１７に基づき、以下の更新式で、色情報保有手段１５が保持する自身の端末色情報１６を更新する（ステップＳ１４）。
【数１】
2017050806.tif 000003
【００１８】
ここで、インデックスiは、例えば飲料容器型端末１−１自身の通し番号であるとし、また、インデックスjは、例えばそれ以外の飲料容器型端末１−２，１−３の通し番号とする。左辺のrgb_iは更新後の端末色情報１６、右辺のrgb_iは更新前の端末色情報１６を、rgb_jは端末色情報ベクトル１７における、通し番号jの飲料容器型端末１−２，１−３の色情報をそれぞれ表す。また、dijは距離ベクトル１９の成分であり、自身の飲料容器型端末１−１と、それ以外のj番目の飲料容器型端末１−２，１−３との距離を表す。ここで、（１）式においてrgb_i＝(r, g, b)のように赤、青、緑の各成分においての演算が行われた際に、それぞれの成分の値が上限値を超えた場合は、その上限値で置き換えるものとする。例えば、各成分が０〜２５５の値を取るとし、rgb_i＝(３００,２５５,１００)となった場合には、r成分を２５５で置き換えるものとする。
【００１９】
可視化手段１４は、色情報生成手段１３が更新した端末色情報１６に基づき、情報を提示する。ここで、可視化手段１４を実現するための方法の一例としては、フルカラーＬＥＤが考えられるが、これに限定されるものではない。
【００２０】
更新１回目の状態で、図３（ｂ）に示すように、電波強度ベクトル１８において、飲料容器型端末１−１と飲料容器型端末１−２との間の電波強度を表す成分が「０．０５」、飲料容器型端末１−１と飲料容器型端末１−３との間の成分が「０．０１」、飲料容器型端末１−２の端末色情報ベクトル１７が「（０，０，２５５）」、飲料容器型端末１−２の端末色情報ベクトル１７が「（０，０，２５５）」であるので、飲料容器型端末１−１の端末色情報ベクトル１７は「（２５５，２．５５，１２．７５）」（赤色）に更新される。また同様に、電波強度ベクトル１８において、飲料容器型端末１−２と飲料容器型端末１−３との間の成分が「０．８」、飲料容器型端末１−１の端末色情報ベクトル１７が「（２５５，０，０）」であるので、飲料容器型端末１−２の端末色情報ベクトル１７は「（１２．７５，２０４，２５５）」（濃い緑色）に更新される。さらに、飲料容器型端末１−３の端末色情報ベクトル１７は「（２．５５，２５５，２０４）」（薄い青色）に更新される。
【００２１】
更新４回目の状態で、図３（ｃ）に示すように、飲料容器型端末１−１の端末色情報ベクトル１７は「（２５５，３０．６，４２．８４）」（赤色）に更新される。飲料容器型端末１−２の端末色情報ベクトル１７は「（５２．５３，２５５，２５５）」（ほぼ黄色）に更新される。さらに、飲料容器型端末１−３の端末色情報ベクトル１７は「（３９．８８２，２５５，２５５）」（ほぼ黄色）に更新される。
【００２２】
このようにすることで、各飲料容器型端末１−１〜１−３は、予め定められた時間間隔毎に、自分以外の各飲料容器型端末１−１〜１−３との距離に応じて適切に自身の色を更新し続けることが可能となり、それにより場におけるグループ形成等の様子を効果的に可視化することが可能となる。この際、距離だけでなく、グループの持続時間も考慮されることから、距離が遠くても、持続時間が長い場合には、グループに参加している参加者の端末色情報１６は同一の色に近づいていくため、距離情報だけでは捉えきれない状態を効果的に可視化することが可能となる。
【００２３】
(第２の実施形態)  
第１の実施形態では、本発明は複数の飲料容器型端末１−１〜１−３によって構成されていたが、図４に示すように、飲料容器型端末１−１〜１−３に加えて、各飲料容器型端末１−１〜１−３と通信可能なサーバ端末２を用いてもよい。この場合、複数の飲料容器型端末１−１〜１−３間の距離ベクトル１９および端末色情報ベクトル１７をサーバ端末２のグループ状態保有手段２３上で管理する。また、第２の実施形態において、グループ判定手段２２は、グループ状態保有手段２３に記憶された距離ベクトル１９に基づき各飲料容器型端末１−１〜１−３がどのグループに属するかを判定する。この判定結果は、色情報付与手段２４に供給されるとともに、通信手段２１を介して各飲料容器型端末１−１〜１−３に通知される。
【００２４】
色情報付与手段２４は、上記グループ判定手段２２の判定結果を用いて、第１の実施形態における式（１）を、以下のように変更した式（２）とし、この式（２）に基づき色情報保有手段２５に記憶された各飲料容器型端末１−１〜１−３の端末色情報１６を更新する。
【数２】
2017050806.tif 000004
【００２５】
ここで、δijは、グループ判定手段２２が算出した、i番目の飲料容器型端末１−１とｊ番目の飲料容器型端末１−２が同一グループに属するかどうかを区別するバイナリ値であるδijの決定方法としては、例えば、ｄijが予め定められたしきい値「２」を下回る場合には１とし、そうでない場合には０とするといった方法が考えられる。
【００２６】
以下では、第２の実施形態における色情報の更新方法について詳細に述べる。図５は、サーバ端末２の色情報更新制御手順を示すフローチャートであり、図６は、各飲料容器型端末１−１〜１−３の色情報の更新の様子を示す図である。
【００２７】
まず、サーバ端末２の電源が投入され（図示せず）、起動した際に、色情報保有手段２５に記憶された各飲料容器型端末１−１〜１−３の端末色情報１６を初期化する（ステップＳ２１）。
【００２８】
初期状態で、例えば飲料容器型端末１−１は、図６（ａ）に示すように、赤色となり、飲料容器型端末１−２は青色、飲料容器型端末１−３は緑色となる。
【００２９】
通信手段２１は、予め定められた時間間隔毎に、各飲料容器型端末１−１〜１−３との通信を行い（ステップＳ２２）、各飲料容器型端末１−１〜１−３が持つ端末色情報ベクトル１７及び、各飲料容器型端末１−１〜１−３との電波強度を要素とする電波強度ベクトル１８に基づき算出される距離ベクトル１９を取得する（ステップＳ２３）。予め定められた時間間隔は、例えば１０秒や２０秒などが考えられるが、特にこの値に限定されるものではない。また、通信手段２１が用いる通信方式の一例としては、ZigbeeやBluetoothが考えられるが、これに限定されるものではない。
【００３０】
グループ判定手段２２は、グループ状態保有手段２３に記憶された距離ベクトル１９に基づき各飲料容器型端末１−１〜１−３がどのグループに属するかを判定し、δijを決定する（ステップＳ２４）。ここでは、電波強度ベクトル１８における、飲料容器型端末１−１と飲料容器型端末１−２との間の電波強度を表す要素が「０．０５」（距離２０）、飲料容器型端末１−１と飲料容器型端末１−３との間の電波強度を表す要素が「０．０１」（距離１００）であり、距離のしきい値「２」以上であるので、δ12、δ13、δ21、δ31は「０」となる。また、飲料容器型端末１−２と飲料容器型端末１−３との間の電波強度を表す要素が「０．８」（距離１．２５）であり、距離のしきい値「２」を下回るので、δ23、δ32は「１」となる。これらδijは、通信手段２１を介して各飲料容器型端末１−１〜１−３に通知される。
【００３１】
色情報付与手段２４は、上記δijを用いて、式（２）に基づき色情報保有手段２５に記憶された各飲料容器型端末１−１〜１−３の端末色情報１６を更新する（ステップＳ２５）。
【００３２】
図６（ｂ）に示すように、δ12、δ13が「０」であるので、飲料容器型端末１−１は端末色情報ベクトル１７を「（２５５，０，０）」（赤色）のまま維持する。また、δ21が「０」、δ23が「１」であるので、飲料容器型端末１−２は端末色情報ベクトル１７を「（１２．７５，２０４，２５５）」（濃い緑色）に更新する。さらに、δ23が「１」、δ31が「０」であるので、飲料容器型端末１−３は端末色情報ベクトル１７を「（２．５５，２５５，２０４）」（薄い青色）に更新する。
【００３３】
このような構成を取ることにより、各飲料容器型端末１−１〜１−３がどのグループへ属するかをより明確に表すように可視化が行える。
【００３４】
（その他の実施形態）  
上記各実施形態では、距離取得手段１２が算出する距離情報としては、例えば飲料容器型端末１−１および、自分以外の飲料容器型端末１−２，１−３に搭載された、通信手段１１（通信モジュール）間の電波強度を用いる例について説明した。しかし、電波強度を用いることなく、飲料容器型端末１−１と、自分以外の飲料容器型端末１−２，１−３との距離を算出するようにしてもよい。  
上記飲料容器型端末１−１〜１−３で説明した個々の処理は、コンピュータプログラムによってソフトウェア処理することが可能である。この場合、プログラムを記録媒体に記録することも、ネットワークを通して提供することも可能である。
【００３５】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００３６】
１−１〜１−３…飲料容器型端末、２…サーバ端末、１１…通信手段、１２…距離取得手段、１３…色情報生成手段、１４…可視化手段、１５…色情報保有手段、１６…端末色情報、１７…端末色情報ベクトル、１８…電波強度ベクトル、１９…距離ベクトル、２１…通信手段、２２…グループ判定手段、２３…グループ状態保有手段、２４…色情報付与手段、２５…色情報保有手段。
【図１】
2017050806.tif 000005
【図２】
2017050806.tif 000006
【図３】
2017050806.tif 000007
【図４】
2017050806.tif 000008
【図５】
2017050806.tif 000009
【図６】
2017050806.tif 000010